(57)【特許請求の範囲】
【請求項１】
上端が開口状とされた埋込みボックスと、
突起部が配置された両側面に直交した面が透光性材料で形成されると共に、前記透光性材料で形成された面が前記埋込みボックスの上端に向くように収納可能な構成とされ、かつ、同突起部に対向する同埋込みボックス内面との隙間が、同突起部の厚さと略同幅長さとされた照明灯収納用本体と、
前記埋込みボックス内の上端の内側に取付けられ、かつ、前記隙間と略同厚さとされると共に、同隙間を開閉自在とされた閉塞部とを備える
ボックス埋込型照明器具。
【請求項２】
前記突起部は、円板形状である
請求項１に記載のボックス埋込型照明器具。
【請求項３】
前記突起部は、前記照明灯収納用本体の長手方向の両側面に各２個が配置された
請求項１または請求項２に記載のボックス埋込型照明器具。
【請求項４】
前記閉塞部は、前記埋込みボックス内の上端の内側に固定される固定閉塞部と、前記突起部の配置に対応する部分の一端が前記埋込みボックス内の上端の内側に枢着され、他端が前記固定閉塞部に係留可能とされた開閉用閉塞部を有する
請求項１、請求項２または請求項３に記載のボックス埋込型照明器具。
【請求項５】
前記閉塞部は、前記埋込みボックス内の上端の内側に固定される固定閉塞部と、前記突起部の配置に対応する部分が離脱可能とされた分離用閉塞部を有する
請求項１、請求項２または請求項３に記載のボックス埋込型照明器具。
【請求項６】
前記埋込みボックスは、同埋込みボックスの両内側面に配置され、かつ、前記照明灯収納用本体の側面を押圧するバネ部を有する
請求項１、請求項２、請求項３、請求項４または請求項５に記載のボックス埋込型照明器具。
【発明の詳細な説明】
【技術分野】
【０００１】
本発明は、ボックス埋込型照明器具に関する。詳しくは、地中などに埋設して使用される埋込型照明器具が収納されたボックス埋込型照明器具に係るものである。
【背景技術】
【０００２】
公園の沿道に沿って配置される、あるいは壁面を照射するために地中などに埋設して使用されるボックス埋込型照明器具が活用されている。
この種のボックス埋込型照明器具としては、例えば、特許文献１に記載されたものが知られている。
【０００３】
具体的には、埋込型照明器具は、図７に示すように、有底筒状の内本体１０１と、この内本体１０１の開口部１０２を塞ぐ透光性材料で形成されたパネル１０３と、このパネル１０３の周縁に当接する防水用のパッキン１０４と、このパッキン１０４に当接する当接部によりパッキン１０４を内本体１０１に圧接する外枠すなわち外本体１０５とから構成されている。
【０００４】
ここで、図８に示すように、パッキン１０４は、弾性を備えたゴム材により、その断面がコ字状になすように形成されている。そして、コ字状の部分をパネル１０３の周端部に設けられた凸状部に嵌め込むことによりパネル１０３に取り付けられている。
【０００５】
また、外本体１０５の上部には、パッキン１０４と当接する当接面１０６が外本体１０５の側壁上端より内方に向けて形成されている。このような構成とされた埋込型照明器具が、地中に埋設された埋込みボックス１０７内に隙間が生じないような状態で収納されている。
【先行技術文献】
【特許文献】
【０００６】
【特許文献１】特許第４１２７０１５号公報
【発明の概要】
【発明が解決しようとする課題】
【０００７】
しかしながら、前記特許文献１の発明では、パッキン及び外本体の当接面がパネルの周縁を覆う額縁構造であるために、光源ユニットからの照射がパッキン及び外本体の当接面で遮られることになる。
【０００８】
また、光源ユニットの交換などを行う場合には、埋込みボックスから埋込型照明器具を取り出さなければならないが、埋込みボックス内面と外本体との間の隙間が非常に小さいために、非常に煩雑な作業となる。
【０００９】
また、埋込型照明器具を取り出し易くするために、埋込みボックス内面と外本体との間に隙間を設けた場合には、埋込型照明器具を固定する手段や隙間を覆う枠体などが必要となる。
【００１０】
本発明は、以上の点に鑑みて創案されたものであって、埋込みボックスへの埋込型照明器具の出し入れを容易にすることができるボックス埋込型照明器具を提供することを目的とするものである。
【課題を解決するための手段】
【００１１】
上記の目的を達成するために、本発明に係るボックス埋込型照明器具は、上端が開口状とされた埋込みボックスと、突起部が配置された両側面に直交した面が透光性材料で形成されると共に、前記透光性材料で形成された面が前記埋込みボックスの上端に向くように収納可能な構成とされ、かつ、同突起部に対向する同埋込みボックス内面との隙間が、同突起部の厚さと略同幅長さとされた照明灯収納用本体と、前記埋込みボックス内の上端の内側に取付けられ、かつ、前記隙間と略同厚さとされると共に、同隙間を開閉自在とされた閉塞部とを備える。
【００１２】
ここで、上端が開口状とされた埋込みボックスによって、地中、あるいは壁面に対して収納可能なスペースを確保することが可能となる。
【００１３】
また、突起部が配置された両側面に直交した面が透光性材料で形成されると共に、前記透光性材料で形成された面が埋込みボックスの上端に向くように収納可能な構成とされ、かつ、突起部に対向する埋込みボックス内面との隙間が、突起部の厚さと略同幅長さとされた照明灯収納用本体によって、埋込みボックスに収納された状態で照明灯収納用本体内に配置される光源からの光は、透光性材料を通して外部へ照射可能となる。
【００１４】
更に、照明灯収納用本体の両側面に配置された突起部によって、埋込みボックス内からの照明灯収納用本体の取り出しを容易に行うことが可能となる。
【００１５】
例えば、埋込みボックス内に収納された照明灯収納用本体を治具などで係留させて持ち上げることで容易に取り出すことが可能となる。
【００１６】
また、埋込みボックス内の上端の内側に取付けられ、かつ、隙間と略同厚さとされると共に、隙間を開閉自在とされた閉塞部によって、閉塞時には隙間内への異物の侵入を防止し、かつ、隙間を開くことで埋込みボックス内から照明灯収納用本体を容易に取り出すことが可能となる。
【００１７】
また、本発明に係るボックス埋込型照明器具において、突起部が、円板形状である場合には、円弧形状に形成された係留用の爪を有する治具によって容易に係留することが可能となる。
【００１８】
また、本発明に係るボックス埋込型照明器具において、突起部が、照明灯収納用本体の長手方向の両側面に各２個配置された場合には、照明灯収納用本体を確実、かつ安定した状態で埋込みボックス内から取り出すことが可能となる。
【００１９】
また、本発明に係るボックス埋込型照明器具において、閉塞部が、埋込みボックス内の上端の内側に固定される固定閉塞部と、突起部の配置に対応する部分の一端が埋込みボックス内の上端の内側に枢着され、他端が固定閉塞部に係留可能とされた開閉用閉塞部を有する場合には、閉塞部によって埋込みボックスと照明灯収納用本体との間の隙間を閉塞することが可能となる。
また、開閉用閉塞部によって突起部が通過可能な領域を確保することで埋込みボックス内への出し入れをスムーズに行うことが可能となる。
【００２０】
また、本発明に係るボックス埋込型照明器具において、閉塞部が、埋込みボックス内の上端の内側に固定される固定閉塞部と、突起部の配置に対応する部分が離脱可能とされた分離用閉塞部を有する場合には、閉塞部によって埋込みボックスと照明灯収納用本体との間の隙間を閉塞することが可能となる。
また、分離用閉塞部によって突起部が通過可能な領域を確保することで埋込みボックス内への出し入れをスムーズに行うことが可能となる。
【００２１】
また、本発明に係るボックス埋込型照明器具において、埋込みボックスが、埋込みボックスの両内側面に配置され、かつ、照明灯収納用本体の側面を押圧するバネ部を有する場合には、照明灯収納用本体を埋込みボックス内で強固に固定することが可能となる。
【発明の効果】
【００２２】
本発明のボックス埋込型照明器具によれば、埋込みボックスへの埋込型照明器具の出し入れを容易にすることが可能となる。
【図面の簡単な説明】
【００２３】
【図１】本発明を適用したボックス埋込型照明器具の一例を説明するための立体模式図である。
【図２】本発明を適用したボックス埋込型照明器具の照明灯収納用本体の一例を説明するための断面模式図である。
【図３】本発明を適用したボックス埋込型照明器具の埋込みボックスの一例を説明するための断面模式図である。
【図４】本発明を適用したボックス埋込型照明器具の閉塞部の一例を説明するための模式図（Ａ）及び、本発明を適用したボックス埋込型照明器具の閉塞部の他の例を説明するための模式図（Ｂ）である。
【図５】本発明を適用したボックス埋込型照明器具の使用状態を説明するための断面模式図である。
【図６】本発明を適用したボックス埋込型照明器具において、照明灯収納用本体の取り出し形態の一例を説明するための模式図である。
【図７】従来のボックス埋込型照明器具の一例を説明するための模式図である。
【図８】従来のボックス埋込型照明器具のパネルの取付け形態の一例を説明するための模式図である。
【発明を実施するための形態】
【００２４】
以下、本発明の実施の形態を図面を参酌しながら詳述する。
【００２５】
図１は本発明を適用したボックス埋込型照明器具の一例を説明するための立体模式図、図２は本発明を適用したボックス埋込型照明器具の照明灯収納用本体の一例を説明するための断面模式図、図３は本発明を適用したボックス埋込型照明器具の埋込みボックスの一例を説明するための側面模式図である。
【００２６】
ここで示すボックス埋込型照明器具１は、照明灯収納用本体２と、この照明灯収納用本体２が収納される埋込みボックス３とから構成されている。
【００２７】
ここで、照明灯収納用本体２は、ステンレス鋼板や強化プラスチックなど、衝撃に強く、錆びにくい材料により上端が開口部８とされた直方体形状のハウジング４と、このハウジング４の開口部８を塞ぐ透光性材料で形成されたパネル５から構成されている。
【００２８】
また、透光性材料としてのパネル５は、透光性を備えた強化ガラスや強化プラスチックなど、この上に人が乗っても、通常、破損することがないもので平板状に形成されている。更に、パネル５の下部の長手方向の両側端に段差部６が形成されている。
【００２９】
一方、開口部８の開口端１３の内側面の長手方向に沿って、上端が開口端１３より突出した状態でパネル用支持枠体７が設けられ、このパネル用支持枠体７の上端にパネル５の段差部６が載せられることで開口部８が塞がれることになる。
【００３０】
そして、パネル５の段差部６と開口部８の開口端１３との間に形成される溝部１４内をコーキング（図示せず。）することでハウジング４内への水の侵入を防水する構成とされている。
【００３１】
また、ハウジング４内の長手方向に沿ってＬＥＤ灯架台９が設けられている。このＬＥＤ灯架台９は熱伝導性の優れたアルミニウム材などの金属で形成されると共に、ハウジング４の底面３０より一定の空間を設けて架設されることで放熱効果を向上させた構成とされている。
【００３２】
このようなＬＥＤ灯架台９上に、ＬＥＤ素子が設けられたＬＥＤ基板１２が一定間隔ごとに配置されている。
【００３３】
また、ハウジング４の外側の両側面に、円板形状の突起部１１が一定間隔を設けて左右同一線状となる位置に取付けられている。
【００３４】
次に、前記図１に示すように、埋込みボックス３は、ステンレス鋼板や強化プラスチックなど、衝撃に強く、錆びにくい材料により上端が開口状とされ、この開口幅がハウジング４の突起部１１の厚さを含めた長さと略同等の幅長さの樋形状に形成されている。
また、埋め込みボックス３の深さは、ハウジング４の開口部８をパネル５で塞いだ状態である照明灯収納用本体２の高さと略同等の高さとされている。
【００３５】
また、埋込みボックス３の下部には、ケーブル配線用ダクト部３１が配置され、このケーブル配線用ダクト部３１の長手方向の下端に沿って取り付け用鍔部１５が設けられている。更に、各取り付け用鍔部１５に、取り付け用穴１６が開設されている。
【００３６】
また、埋込みボックス３の両内側面には、埋込みボックス３の内側方向に突出するように屈曲形成された押圧用板バネ部１７がそれぞれ２個配置されている。
【００３７】
そして、埋込みボックス３の上端１８の内側面には、ハウジング４の突起部１１と略同厚さとされた閉塞部１９が設けられている（図３参照）。
【００３８】
ここで、閉塞部１９は、図４（Ａ）に示すように、埋込みボックス３の上端１８の内側にハウジングの突起部（図示せず。）が対応する部分の間隔を設けて固定閉塞部２１が配置されている。そして、この固定閉塞部２１との間の埋込みボックス３の上端１８の内側に固定閉塞部２１が配置された構成とされている。
【００３９】
ここで、開閉用閉塞部２０は、一端２２が埋込みボックス３内の上端１８の内側に枢支ピン２３で枢着され、他端２４が固定閉塞部２１の開放端２５と係留可能な構成とされている。
【００４０】
これにより、開閉用閉塞部２０の一端２２を起点として他端２４を上方へ持ち上げるようにして旋回させることで突起部１１の上方のハウジング４の外側の両側面と埋込みボックス３の上端１８の内側面との間に隙間を生じさせることが可能となる。
【００４１】
また、図４（Ｂ）に示すように、閉塞部１９Ａは、埋込みボックス３の上端１８の内側にハウジングの突起部（図示せず。）が対応する部分の間隔を設けて固定閉塞部２１が配置されている。そして、この固定閉塞部２１との間の埋込みボックス３の上端１８の内側に分離用閉塞部２６が配置された構成とされている。
【００４２】
ここで、分離用閉塞部２６は、分離用閉塞部２６の一端２２Ａ及び他端２４Ａが、対峙する固定閉塞部２１の開放端（２５、２５）と係留可能な構成とされている。
【００４３】
これにより、分離用閉塞部２６を上方へ持ち上げることで突起部１１の上方のハウジング４の外側の両側面と埋込みボックス３の上端１８の内側面との間に隙間を生じさせることが可能となる。
【００４４】
以上の構成よりなる本発明のボックス埋込型照明器具では、図５に示すように、埋込みボックス３は、上端（１８、１８）が路面Ａと同一面上に位置するように埋込み設置される。
【００４５】
更に、埋込みボックス３の下部のケーブル配線用ダクト部３１内には、電源用ケーブル（図示せず。）が配線されている。
【００４６】
また、照明灯収納用本体２は、開口部８の開口端１３の内側面に設けられたパネル用支持枠体７の上端１８にパネル５の段差部６を当接するようにしてパネル５で開口部８を覆設する。
【００４７】
そして、パネル５の段差部６と、ハウジング４の開口部８の開口端１３との間に形成される溝部（図示せず。）内をコーキング２９することでハウジング４内への水の侵入を防水することが可能となる。
【００４８】
ここで、埋込みボックス３の開閉用閉塞部２０、あるいは分離用閉塞部２６を開くことで埋込みボックス３の内面とハウジング４との間に突起部１１が挿通可能な空間部（図示せず。）が形成される。
【００４９】
これにより、埋込みボックス３の上端（１８、１８）間に照明灯収納用本体２を挿入した後に、埋込みボックス３の開閉用閉塞部（図示せず。）、あるいは分離用閉塞部（図示せず。）を元に戻すことで埋込みボックス３の内面とハウジング４との間を閉塞部（１９、１９Ａ）で閉塞することが可能となる。
【００５０】
また、照明灯収納用本体２のハウジング４の両側面は、埋込みボックス３の内側方向に突出するように屈曲形成された押圧用板バネ部１７の付勢力で押圧されることでガタ着くことなく固定される。
【００５１】
次に、光源灯の交換などを行う場合には、例えば、図６に示すように、埋込みボックス３の開閉用閉塞部２０の他端２４をピック（図示せず。）などで引っ掛けて上方へ旋回させる。
【００５２】
そして、照明灯収納用本体２と略同等の幅を有し、両側下端に突起部を係留するための爪部（２７、２７）が設けられた一対の取り出し治具（２８、２８）を用意する。
【００５３】
ここで、埋込みボックス３の内面とハウジング４との間に形成される空間部（図示せず。）内に取り出し治具２８の爪部（２７、２７）を挿入して突起部（図示せず。）に係留させる。
【００５４】
このようして、一対の取り出し治具（２８、２８）の爪部（２７、２７）で照明灯収納用本体２の全ての突起部１１が係留された状態で上方へ引き上げることで埋込みボックス３から照明灯収納用本体２を容易に取り出すことが可能となる。
【００５５】
本発明によれば、取り出し治具による照明灯収納用本体の取り出しを行うことで、照明灯収納用本体と埋込みボックスとの間の隙間を最小限とすることが可能となる。
【００５６】
これにより、ボックス埋込型照明器具のコンパクト化を図ることが可能となる。
【００５７】
また、パネルの側面をコーキングすることによりパネル全面を通して照明灯収納用本体内より照射することができ、発光効率を向上させることが可能となる。
【００５８】
また、ボックス埋込型照明器具を垂直壁に埋込設置した場合でも照明灯収納用本体は、埋込みボックス３の内面に設けられた押圧用板バネ部で固定されているために、自然脱落を防止することが可能となる。
【００５９】
なお、本実施の形態では、突起部が、円板形状とするものであるが、必ずしも円板形状とする必要性はない。例えば、多角形状、あるいは鉤形状など取り出し治具の爪部で係留できる形状であればいかなる形状であっても構わない。
【００６０】
また、本実施の形態では、突起部が、照明灯収納用本体の長手方向の両側面に各２個が配置されるものであるが、必ずしも両側面に各２個配置する必要性はない。
【００６１】
例えば、両側面に各１個、あるいは各３個以上配置するものであっても構わないが、確実、かつ利便性の点から両側面に各２個配置することが望ましい。
【００６２】
また、本実施の形態では、閉塞部が、埋込みボックス内の上端の内側に固定される固定閉塞部と、突起部の配置に対応する部分の開閉用閉塞部、あるいは分離用閉塞部とから構成されるものであるが、必ずしもこのような構成とする必要性はない。
【００６３】
しかし、突起部の配置に対応する部分の閉塞部を容易に開閉、あるいは分離することができるという点において、突起部の配置に対応する部分に開閉用閉塞部、あるいは分離用閉塞部を設けることが望ましい。
【００６４】
また、本実施の形態では、埋込みボックスの両内側面に照明灯収納用本体の側面を押圧する押圧用板バネ部を設けるものであるが、必ずしも押圧用板バネ部を設ける必要性はない。
【００６５】
しかし、照明灯収納用本体をガタ着くことなく固定できるという点において、押圧用板バネ部を設けることが望ましい。
【符号の説明】
【００６６】
１            ボックス埋込型照明器具
２            照明灯収納用本体
３            埋込みボックス
４            ハウジング
５            パネル
６            段差部
７            パネル用支持枠体
８            開口部
９            ＬＥＤ灯架台
１０          底面
１１          突起部
１２          ＬＥＤ基板
１３          開口端
１４          溝部
１５          取り付け用鍔部
１６          取り付け用穴
１７          押圧用板バネ部
１８          上端
１９、１９Ａ  閉塞部
２０          開閉用閉塞部
２１          固定閉塞部
２２、２２Ａ  一端
２３          枢支ピン
２４、２４Ａ  他端
２５          開放端
２６          分離用閉塞部
２７          爪部
２８          取り出し治具
２９          コーキング
３０          底面
３１          ケーブル配線用ダクト部
【図１】
0006370240.tif 000002
【図２】
0006370240.tif 000003
【図３】
0006370240.tif 000004
【図４】
0006370240.tif 000005
【図５】
0006370240.tif 000006
【図６】
0006370240.tif 000007
【図７】
0006370240.tif 000008
【図８】
0006370240.tif 000009